(57)【要約】【課題】汚染源内に注入される汚染物質分解微生物を常に適正な状態に管理して、汚染源を効率よく浄化することのできる汚染源の浄化システムを提供する。【解決手段】浄化水供給用タンク１１から汚染領域Ｋに、汚染物質を分解する微生物を含んだ浄化水を供給する一方、上記汚染領域Ｋを通過した浄化水を回収タンク１６に回収し、モニタリング装置１７により上記回収水中の微生物の活性状態をモニターし、このモニタリングの結果に応じて、光照射手段１４の照射強度や照射時間を制御して、活性化している微生物の数あるいは密度を増加させた後、この活性化された微生物を含んだ浄化水を、供給ポンプ１１Ｐを介して、再度上記汚染領域Ｋに注入するようにした。【選択図】図１
2008062154.tif 000002
【特許請求の範囲】
【請求項１】
汚染物質が含まれる土壌もしくは地下水を含む汚染源に、上記汚染物質を分解する微生物を含んだ浄化水を供給して上記汚染源を浄化する汚染源の浄化システムにおいて、上記汚染源を通過した浄化水を回収する手段を設けるとともに、上記回収された浄化水分中の微生物の活性化の度合に応じて、上記回収された浄化水に含まれる微生物を活性化し、この活性化された微生物を含む浄化水を上記汚染源に供給するようにしたことを特徴とする汚染源の浄化システム。
【請求項２】
汚染物質を分解する微生物を含んだ浄化水を地中の汚染源に供給する浄化水供給用パイプと、上記汚染源を通過した浄化水を回収する回収用パイプと、上記回収された浄化水中の微生物の活性化の度合をモニターする手段と、上記モニター結果に基づいて、上記回収された浄化水に光照射して、上記微生物を活性化する活性化手段とを備えるとともに、上記活性化された微生物を含む浄化水を、上記浄化水供給用パイプを介して、上記汚染源に再度供給するようにしたことを特徴とする請求項１に記載の汚染源の浄化システム。
【請求項３】
汚染物質が含まれる領域に位置する部分に複数の穴部が形成された外管と、この外管の内部に配置される、上記浄化水を加圧供給する供給用の内管と、上記内管内と上記穴部のうちの一部の穴部とを連通する噴出用部材とを備え、上記供給用パイプに送られた浄化水を、上記噴出用部材に連通する穴部を介して上記汚染源に供給するとともに、上記噴出用部材に連通していない穴部から上記内管の外壁と上記外管の内壁との間に取り込まれた上記汚染源を通過した浄化水を回収する構成の二重管を用いて、上記浄化水の供給と回収とを行うようにしたことを特徴とする請求項２に記載の汚染源の浄化システム。
【請求項４】
汚染された地下水の上流側に設けられた、上記地下水に含まれる汚染物質を分解する微生物を含んだ浄化水を上記地下水に供給する注水井戸と、上記地下水の下流側に設けられた、上記地下水の一部を汲み上げる揚水井戸と、上記汲み上げられた地下水の微生物の活性化の度合をモニターする手段と、上記モニター結果に基づいて、上記汲み上げられた地下水に光照射して、上記地下水中に含まれる微生物を活性化する活性化手段とを備えるとともに、上記活性化された微生物を含む地下水を、上記注水井戸を介して、上記地下水中に再度供給するようにしたことを特徴とする請求項１に記載の汚染源の浄化システム。
【請求項５】
汚染物質が含まれる土壌を盛土したパイルに上記汚染物質を分解する微生物を含んだ浄化水を散水する散水手段と、上記パイル中に埋設された、上記パイルに供給された浄化水を回収する回収手段と、上記回収された浄化水中の微生物の活性化の度合をモニターする手段と、上記モニター結果に基づいて、上記回収された浄化水に光照射して、上記微生物を活性化する活性化手段とを備えるとともに、上記活性化された微生物を含む浄化水を上記散水手段を介して、上記パイルに再度供給するようにしたことを特徴とする請求項１に記載の汚染源の浄化システム。
【発明の詳細な説明】
【技術分野】
【０００１】
本発明は、例えば、汚染物質が含まれる土壌もしくは地下水などの汚染源を浄化する方法に関するもので、特に、上記汚染源に汚染物質を分解する微生物を含んだ浄化水を供給して上記汚染源を浄化する方法に関する。
【背景技術】
【０００２】
従来、重油や有機溶媒などの汚染物質が含まれる汚染土壌を浄化する方法として、上記汚染物質を分解する微生物を含んだ浄化水を上記汚染土壌が存在する領域に供給して、上記微生物による分解効果により、上記汚染物質を分解して上記汚染土壌を浄化する方法が提案されている（例えば、特許文献１，２参照）。
図９（ａ），（ｂ）は、従来の汚染土壌浄化システム５０の一例を示す図で、ここでは、自然状態での地下水位Ｗ１よりも低い位置に存在する揮発性有機塩素化合物で汚染された土壌（以下、汚染領域という）Ｍを浄化する。具体的には、分解液タンク５１に収納された汚染物質分解微生物を含んだ浄化水を、注入パイプ５２を介して、上記汚染領域Ｍに供給するとともに、上記汚染領域Ｍの下部側に揚水設備５３を設置し、この揚水設備５３のノズル孔に連通するパイプ５４を介した吸引ポンプ５５を用いて負圧を与えることにより、上記ノズル孔から地下水を吸引する。これにより、上記地下水位Ｗ１を浄化対象となる汚染領域Ｍよりも低い位置Ｗ２まで低下させて上記浄化水が注入される分解領域Ｎを広げることができるので、上記汚染領域Ｍを効率よく浄化することができる。
このとき、上記注入パイプ５２により、菌活性液タンク５６に収納されている微生物活性化物質を含む菌活性液を、上記汚染物質分解微生物を含んだ浄化水とともに上記汚染領域Ｍに供給するとともに、上記注入パイプ５２及び上記揚水設備５３の周りを覆う、礫などで構成された砂柱５７にポンプ５８に接続される注気パイプ５９を取付けて上記分解領域Ｎに新鮮な空気を送り込んでやれば、上記分解領域Ｎの微生物を活性化させることができるので、上記汚染領域Ｍを更に効率よく浄化することができる。
【特許文献１】特開平９−２７６８３７号公報
【特許文献２】特開平９−２７６８４０号公報
【発明の開示】
【発明が解決しようとする課題】
【０００３】
しかしながら、上記従来の浄化システムでは、菌活性液の注入や酸素の補充など、汚染領域Ｍに注入された汚染物質分解微生物を活性化させる手段を有してはいるが、上記微生物の活性化の度合、すなわち、汚染物質を有効に分解している微生物の数（あるいは、密度）が不明である。したがって、確実に浄化を行うためには、上記菌活性液の注入や酸素の補充などを頻繁に行わなければならなかった。また、上記微生物の中には、不活性になったまま死滅するものもあるので、汚染物質分解微生物を定期的に補充してやる必要があった。
【０００４】
本発明は、従来の問題点に鑑みてなされたもので、汚染源内に注入される汚染物質分解微生物を常に適正な状態に管理して、汚染源を効率よく浄化することのできる汚染源の浄化システムを提供することを目的とする。
【０００５】
本発明者らは、鋭意検討した結果、汚染源を通過した浄化水を回収して、上記回収された浄化水分中の微生物の活性化の度合をモニターするとともに、上記微生物の活性化の度合に応じて、上記浄化水に含まれる微生物を活性化してやり、この活性化された微生物を含む浄化水を再度上記汚染源に供給するようにすれば、汚染源の浄化を効率よく行うことができることを見いだし、本発明に到ったものである。
すなわち、本発明の請求項１に記載の発明は、汚染物質が含まれる土壌もしくは地下水を含む汚染源に、上記汚染物質を分解する微生物を含んだ浄化水を供給して上記汚染源を浄化する汚染源の浄化システムであって、上記汚染源を通過した浄化水を回収する手段を設けるとともに、上記回収された浄化水分中の微生物の活性化の度合に応じて、上記回収された浄化水に含まれる微生物を活性化し、この活性化された微生物を含む浄化水を上記汚染源に供給するようにしたことを特徴とするものである。
【０００６】
請求項２に記載の発明は、請求項１に記載の汚染源の浄化システムであって、上記汚染物質を分解する微生物を含んだ浄化水を地中の汚染源に供給する浄化水供給用パイプと、上記汚染源を通過した浄化水を回収する回収用パイプと、上記回収された浄化水中の微生物の活性化の度合をモニターする手段と、上記モニター結果に基づいて、上記回収された浄化水に光照射して、上記微生物を活性化する活性化手段とを備えるとともに、上記活性化された微生物を含む浄化水を、上記浄化水供給用パイプを介して、上記汚染源に再度供給するようにしたものである。
請求項３に記載の発明は、請求項２に記載の汚染源の浄化システムにおいて、汚染物質が含まれる領域に位置する部分に複数の穴部が形成された外管と、この外管の内部に配置される、上記浄化水を加圧供給する供給用の内管と、上記内管内と上記穴部のうちの一部の穴部とを連通する噴出用部材とを備え、上記供給用パイプに送られた浄化水を、上記噴出用部材に連通する穴部を介して上記汚染源に供給するとともに、上記噴出用部材に連通していない穴部から上記内管の外壁と上記外管の内壁との間に取り込まれた上記汚染源を通過した浄化水を回収する構成の二重管を用いて、上記浄化水の供給と回収とを行うようにしたものである。
【０００７】
また、請求項４に記載の発明は、請求項１に記載の汚染源の浄化システムであって、汚染された地下水の上流側に設けられた、上記地下水に含まれる汚染物質を分解する微生物を含んだ浄化水を上記地下水に供給する注水井戸と、上記地下水の下流側に設けられた、上記地下水の一部を汲み上げる揚水井戸と、上記汲み上げられた地下水の微生物の活性化の度合をモニターする手段と、上記モニター結果に基づいて、上記汲み上げられた地下水に光照射して、上記地下水中に含まれる微生物を活性化する活性化手段とを備えるとともに、上記活性化された微生物を含む地下水を、上記注水井戸を介して、上記地下水中に再度供給するようにしたものである。
請求項５に記載の発明は、請求項１に記載の汚染源の浄化システムであって、汚染物質が含まれる土壌を盛土したパイルに上記汚染物質を分解する微生物を含んだ浄化水を散水する散水手段と、上記パイル中に埋設された、上記パイルに供給された浄化水を回収する回収用パイプと、上記回収された浄化水中の微生物の活性化の度合をモニターする手段と、上記モニター結果に基づいて、上記回収された浄化水に光照射して、上記微生物を活性化する活性化手段とを備えるとともに、上記活性化された微生物を含む浄化水を上記散水パイプを介して、上記パイルに再度供給するようにしたものである。
【発明の効果】
【０００８】
本発明によれば、汚染物質が含まれる土壌もしくは地下水を含む汚染源に、上記汚染物質を分解する微生物を含んだ浄化水を供給して上記汚染源を浄化する際に、上記汚染源を通過した浄化水を回収し、上記回収された浄化水分中の微生物の活性化の度合に応じて、上記回収された浄化水に含まれる微生物を活性化し、この活性化された微生物を含む浄化水を上記汚染源に再度供給することにより、汚染領域内の汚染物質分解微生物を常に適度に活性化した状態におくことができるようにしたので、上記汚染源を効率よく浄化することができる。
上記汚染物質が含まれる土壌が地中の土壌である場合には、上記汚染物質を分解する微生物を含んだ浄化水を地中の汚染源に供給する浄化水供給用パイプと、上記汚染源を通過した浄化水を回収する回収用パイプと、上記回収された浄化水中の微生物の活性化の度合をモニターする手段と、上記モニター結果に基づいて、上記回収された浄化水に光照射して、上記微生物を活性化する活性化手段とを設けて、上記活性化された微生物を含む浄化水を、上記浄化水供給用パイプを介して、上記汚染源に再度供給するようにすれば、上記汚染物質が含まれる土壌を確実に浄化することができる。
このとき、汚染物質が含まれる領域に位置する部分に複数の穴部が形成された外管と、この外管の内部に配置される、上記浄化水を加圧供給する供給用の内管と、上記内管内と上記穴部のうちの一部の穴部とを連通する噴出用部材とを備え、上記供給用パイプに送られた浄化水を、上記噴出用部材に連通する穴部を介して上記汚染源に供給するとともに、上記噴出用部材に連通していない穴部から上記内管の外壁と上記外管の内壁との間に取り込まれた上記汚染源を通過した浄化水を回収する構成の二重管を用いて、上記浄化水の供給と回収とを行うようににすれば、パイプを埋設するための掘削孔が１つで済むので、システムの構築作業が簡易化される。
【０００９】
また、汚染源が地下水である場合には、汚染された地下水の上流側に、上記地下水に含まれる汚染物質を分解する微生物を含んだ浄化水を上記地下水に供給する注水井戸を設け、上記地下水の下流側に上記地下水の一部を汲み上げる揚水井戸を設けるとともに、上記汲み上げられた地下水の微生物の活性化の度合をモニターする手段と、上記モニター結果に基づいて、上記汲み上げられた地下水に光照射して、上記地下水中に含まれる微生物を活性化する活性化手段とを設けて、上記活性化された微生物を含む地下水を、上記注水井戸を介して、上記地下水中に再度供給するようにすれば、上記地下水に常に活性化した微生物を供給することができるので、上記汚染された地下水を確実に浄化することができる。
一方、汚染源が汚染物質が含まれる土壌を盛土したパイルである場合には、浄化水供給用のパイプに代えて、上記パイルに浄化水を散水する散水手段を設けるとともに、上記パイル中に、上記パイルに供給された浄化水を回収する回収用パイプを埋して、上記回収された浄化水中の微生物の活性化の度合をモニターした後、上記モニター結果に基づいて、上記微生物を活性化して上記パイルに再度供給するようにすればよい。
【発明を実施するための最良の形態】
【００１０】
以下、本発明の最良の形態について、図面に基づき説明する。
図１は、本最良の形態に係る汚染源の浄化システム１０の概要を示す図で、本例では、工場などの建物Ｔが建てられた敷地の直下の地中に存在する重油などの汚染物質を含んだ土壌（以下、汚染領域という）Ｋを浄化する。
同図において、１１は汚染物質分解微生物を含んだ浄化水を収納する微生物収納タンク１２から送られる浄化水と、上記微生物の栄養塩類を含んだ微生物活性液を収納する活性化液収納タンク１３から送られる活性化液と、後述する回収タンク１６から送られる回収水とを混合して攪拌して、上記汚染領域Ｋに供給する浄化水供給用タンクで、この浄化水供給用タンク１１の上部には、当該タンク１１内の微生物に、上記微生物の生育や機能を活性化する所定の波長の光を照射して上記微生物を再活性化するための光照射手段１４が設置されている。
また、１５は上記浄化水供給用タンク１１内の活性化された汚染物質分解微生物(以下、単に微生物という)を含む浄化水を供給する浄化水供給用パイプと上記汚染領域Ｋ内を通過した上記浄化水を回収する浄化水回収用パイプとを一体化した二重管、１６は上記二重管１５で回収した浄化水（回収水）を収納する回収タンクである。
本例では、上記回収タンク１６に、上記回収水中の微生物の活性状態を把握するためのモニタリング装置１７を設けるとともに、上記モニタリング結果に応じて、上記浄化水供給用タンク１１内の浄化水に含まれる微生物を活性化する活性化制御手段１８を設けて、上記浄化水供給用タンク１１から、上記二重管１５を介して、上記汚染領域Ｋに供給される浄化水中の微生物の活性状態を制御するようにしている。
上記活性化制御手段１８は、具体的には、上記モニタリングされた回収水中の微生物の活性化の度合に応じて、上記微生物収納タンク１２及び上記活性化液収納タンク１３から上記浄化水供給用タンク１１にそれぞれ送られる浄化水及び活性化液の量を制御するとともに、上記光照射手段１４の照射強度や照射時間を制御して、上記浄化水供給用タンク１１内の微生物の活性状態を制御する。
【００１１】
図２（ａ），（ｂ）は上記二重管１５の一例を示す図で、この二重管１５は上記汚染領域Ｋに位置する部分に複数の回収用の穴部１５Ｈと噴出用の穴部１５ｈとが形成された外管１５Ａと、この外管１５Ａ内に設けられた内管１５Ｂとを備えており、この内管１５Ｂが上記浄化水供給用タンク１１から供給ポンプ１１Ｐを介して圧送される高圧の浄化水を上記汚染領域Ｋに供給するための浄化水供給用パイプに相当する。
上記内管１５Ｂは、全体としては中空状のパイプで、このパイプの上記汚染領域Ｋに位置する部分には、所定の長さ毎に、上記噴出用の穴部１５ｈと上記内管１５Ｂに設けられた噴出口１５ｓとを連通する噴出用部材１５Ｃが取付けられている。この噴出用部材１５Ｃは、取付の都合上、ゴムなどのフレキシブルな部材から構成されており、図２（ａ）に示すように、浄化水の噴出時には水圧により膨張する。上記浄化水供給用タンク１１から圧送された浄化水は上記膨張した噴出用部材１５Ｃから上記噴出用の穴部１５ｈを通って汚染領域Ｋに注入される。なお、噴出用部材１５Ｃは金属などで構成してもよい。
一方、上記穴部のうちの１５ｈ以外の穴部である回収用の穴部１５Ｈからは、上記汚染領域を通過した浄化水が取り込まれる。この取り込まれた浄化水は、回収ポンプ１６Ｐにより、上記内管１５Ｂの外壁と上記外管１５Ａの内壁との間を通って上記回収タンク１６に回収される。
【００１２】
次に、本汚染源の浄化システム１０による汚染土壌の浄化方法について説明する。
まず、汚染領域Ｋが存在すると予想される地盤をボーリング等で探査しておき、上記地盤内に局部的に存在する汚染領域(ホットスポット)Ｋの位置を割り出すとともに、上記汚染領域Ｋに含まれる汚染物質を特定し、この特定された汚染物質を分解するための汚染物質分解微生物を選定する。なお、特定された汚染物質を分解するための微生物は複数種あるが、本例では、上記微生物として、特定の波長の光を照射すると活性化される微生物を選択している。
次に、上記汚染領域Ｋに上記二重管１５を埋設する。このとき、上記二重管１５を、例えば、工場などの建造物Ｔの敷地の周縁部から上記汚染領域Ｋの一方の端部に挿入し、上記汚染領域Ｋの他方の端部まで埋設する。
上記二重管１５の埋設方法としては、地山を掘削しながらパイプ材を推進して埋設する周知の曲線ボーリング装置を用いて、自由曲線掘削により埋設する方法が好ましい。このとき、上記二重管１５にＧＰＳやジャイロスコープなどの位置検出用センサを取付け、このセンサの出力に基づいて、上記二重管１５を推進して埋設するようにすれば、上記汚染領域Ｋの形が複雑である場合でも、上記二重管１５を精度よく推進して埋設することができる。
二重管１５の埋設後には、上記二重管１５の内管１５Ｂと上記浄化水供給用タンク１１に設けられた供給ポンプ１１Ｐとを接続して、上記内管１５Ｂ内に高圧の浄化水を圧送する。上記圧送された浄化水は、上記内管１５Ｂの噴出用部材１５Ｃから上記噴出用の穴部１５ｈを通って上記汚染領域Ｋに注入される。
一方、上記二重管１５の外管１５Ａに設けられた、回収用の穴部１５Ｈからは、上記汚染領域Ｋを通過した浄化水が取り込まれ、回収ポンプ１６Ｐにより、回収タンク１６に回収される。
【００１３】
次に、モニタリング装置１７により、上記回収タンク１６に回収された回収水中の微生物の活性状態を把握する。具体的には、上記回収水を所定量だけ取出して上記回収水中の環境ＤＮＡを抽出して定量し、上記活性化している微生物の数あるいは密度を算出し、この算出された微生物の数あるいは密度に基づいて、上記微生物の活性状態を判定する。
回収水中の活性化している微生物の数あるいは密度は、一般に、供給水中の微生物の数あるいは密度よりも小さくなっているので、上記活性化制御手段１８は、上記活性化している微生物の減少量に基づいて、上記光照射手段１４の照射強度や照射時間を制御して、上記浄化水供給用タンク１１内の微生物を活性化させる制御を行い、この活性化された微生物を含んだ浄化水を、供給ポンプ１１Ｐを介して、再度上記二重管１５の内管１５Ｂに圧送し、上記汚染領域Ｋに再注入する。
なお、上記光照射手段１４に加えて、上記微生物収納タンク１２から上記浄化水供給用タンク１１に浄化水を送ったり、上記活性化液収納タンク１３から活性化液を送ったりすれば、活性化している微生物の数あるいは密度を更に増加させることができる。
【００１４】
このように、本最良の形態では、建物Ｔが建てられた敷地の直下の地中に存在する汚染物質が含まれる土壌（汚染領域）Ｋに、浄化水供給用タンク１１から、上記汚染物質を分解する微生物を含んだ浄化水を供給する一方、上記汚染領域Ｋを通過した浄化水を回収タンク１６に回収して、モニタリング装置１７により上記回収水中の微生物の活性状態をモニターし、このモニタリングの結果に応じて、光照射手段１４の照射強度や照射時間を制御したり、微生物収納タンク１２から上記浄化水供給用タンク１１に浄化水を送ったり、あるいは、上記活性化液収納タンク１３から活性化液を送ったりするなどして、活性化している微生物の数あるいは密度を増加させた後、この活性化された微生物を含んだ浄化水を、供給ポンプ１１Ｐを介して、再度上記汚染領域Ｋに注入するようにしたので、汚染領域Ｋ内の微生物を常に適度に活性化した状態におくことができる。したがって、上記汚染領域Ｋを効率よくかつ確実に浄化することができる。
このとき、上記汚染領域Ｋに位置する部分に複数の回収用の穴部１５Ｈと噴出用の穴部１５ｈとが形成された外管１５Ａと、この外管１５Ａ内に設けられた内管１５Ｂとを備えるとともに、上記内管１５Ｂに、所定の長さ毎に、上記噴出用の穴部１５ｈと上記内管１５Ｂに設けられた噴出口１５ｓとを連通する噴出用部材１５Ｃを取付けた構成の二重管１５を作製し、この二重管１５の内管１５Ｂを上記浄化水の供給用パイプとして使用し、上記内管１５Ｂの外壁と上記外管１５Ａの内壁との間の通路を回収用のパイプとして使用するようにすれば、パイプを埋設するための掘削孔が１つで済むので、システムの構築作業を簡易化できる。
また、本例では、上記二重管１５を、地山を掘削しながらパイプ材を推進して埋設する自由曲線掘削により埋設するようにしているので、汚染領域Ｋが建物Ｔが建てられた敷地の直下の地中に存在した場合でも、浄化水を当該汚染領域Ｋ全体に供給することができるとともに、上記汚染領域Ｋを通過した浄化水を確実に回収することができるので、上記汚染領域Ｋを容易に浄化することができる。
【００１５】
なお、上記最良の形態では、二重管１５を、汚染領域Ｋの一方の端部に挿入し、上記汚染領域Ｋの他方の端部で終端させた構成なので、浄化水の供給と回収は挿入側からしかできなかったが、図３に示すように、二重管１５の他端側も地上まで延長して、浄化水の供給と回収を二重管１５の両側から行うようにしてもよい。
また、上記例では、二重管１５を用いて浄化水の供給と回収とを行ったが、図４に示すように、供給パイプ２１と回収パイプ２２とを別個に設けてもよい。この場合には、パイプの構造は上記二重管１５よりも単純なので、管自体のコストは安くなるが、パイプを埋設するための掘削孔が２つ必要なので、本例のように二重管１５を用いたほうがシステムの構築作業が簡易化されるのでトータルとしては有利である。
また、上記例では、汚染領域Ｋの上部に建物Ｔが建てられているため、上記二重管１５や上記供給パイプ２１及び回収パイプ２２を曲線管とし、この曲線管を自由曲線掘削により推進して埋設したが、汚染領域Ｋの上部が更地であったり、供給パイプ及び回収パイプパイプを埋設できる余裕がある敷地がある場合には、図５に示すように、上記汚染領域Ｋに注水パイプ２３と揚水パイプ２４を複数本埋設し、上記注水パイプ２３により上記浄化水供給用タンク１１の浄化水を上記汚染領域Ｋの上部から供給するとともに、上記揚水パイプ２４により上記汚染領域Ｋを通過した浄化水を回収して回収タンク１６に送るようにすればよい。
また、上記例では、建物Ｔの敷地直下の汚染領域Ｋの浄化について説明したが、本発明は、図６に示すような、遺棄された化学兵器Ｂによる二次汚染土壌Ｃの浄化等にも適用可能である。この場合には、地中の遺棄された化学兵器Ｂの存在する領域の下側が二次汚染土壌Ｃとなるので、この二次汚染土壌Ｃに本発明の汚染源の浄化システム１０に用いられる二重管１５を埋設して、上記微生物を含んだ浄化水の供給、回収、再供給による浄化を行えば、上記二次汚染土壌Ｃを効果的に浄化することができる。
【００１６】
また、汚染源が地下水である場合には、図７に示すように、汚染された地下水Ｒの上流側に注水井戸３１を設け、上記地下水の下流側に揚水井戸３２を設け、供給ポンプ１１Ｐにより、浄化水供給用タンク１１からの微生物を含んだ浄化水を上記注水井戸３１に注入し、上記地下水Ｒの上流側から上記地下水Ｒ中に汚染物質を分解する微生物を含んだ浄化水を混入させるとともに、上記地下水Ｒの下流側において、上記地下水Ｒの一部を揚水井戸３２で汲み上げてこれを回収タンク１６に送るような構成の汚染源の浄化システム３０を構築すればよい。上記汲み上げられた地下水は、上記最良の形態の場合と同様に、モニタリングされるとともに、上記モニタリング結果に基づいて、上記汲み上げられた地下水に光照射して、上記地下水中に含まれる微生物を活性化する。この活性化された微生物を含む浄化水は、上記注水井戸３１を介して、上記地下水Ｒ中に再度供給されるので、上記地下水Ｒに常に活性化した微生物を供給することができる。したがって、このような、汚染源の浄化システム３０を用いれば、上記汚染された地下水Ｒを確実にかつ、効率よく浄化することができる。
【００１７】
一方、図８に示すように、汚染源が、例えば、ストックヤードＹに盛土された汚染物質が含まれる土壌（以下、汚染パイルという）Ｐである場合には、上記汚染パイルＰの上部に設けられた散水手段４１と、上記汚染パイルＰとストックヤードＹの地面との間に敷設された遮水層４２との間に設けられた水回収用のトレイ（図示せず）とを備えた汚染源の浄化システム４０を構築し、上記汚染パイルＰの下部側から染み出して上記トレイに蓄積された浄化水を回収ポンプ１６Ｐを用いて回収タンク１６に回収するようにすればよい。上記回収水は、上記最良の形態の場合と同様に、モニタリングされるとともに、上記モニタリング結果に基づいて、上記回収水に光照射して、上記回収水中に含まれる微生物を活性化する。この活性化された微生物を含む浄化水は、上記散水手段４１を介して、上記汚染パイルＰに再度供給される。したがって、このような、汚染源の浄化システム４０を用いれば、上記汚染パイルＰについても、効率よくかつ確実に浄化することができる。
【産業上の利用可能性】
【００１８】
以上説明したように、本発明により、汚染物質が含まれる土壌もしくは地下水を含む汚染領域内の汚染物質分解微生物を常に適度に活性化した状態におくことができるので、上記汚染源を効率よく浄化することができる。
【図面の簡単な説明】
【００１９】
【図１】本最良の形態に係る汚染源の浄化システムの概要を示す図である。
【図２】本最良の形態に係る二重管の一構成例を示す図である。
【図３】本発明による汚染源の浄化システムの他の構成を示す図である。
【図４】本発明による汚染源の浄化システムの他の構成を示す図である。
【図５】汚染源の上部に建物がない場合の浄化システムを示す図である。
【図６】本発明による遺棄された化学兵器による二次汚染土壌の浄化方法を示す図である。
【図７】汚染源が地下水である場合の浄化システムの概要を示す図である。
【図８】盛土した汚染土壌を浄化する浄化システムの概要を示す図である。
【図９】従来の汚染土壌の浄化方法を示す図である。
【符号の説明】
【００２０】
１０，３０，４０  汚染源の浄化システム、１１  浄化水供給用タンク、
１１Ｐ  供給ポンプ、１２  微生物収納タンク、１３  活性化液収納タンク、
１４  光照射手段、１５  二重管、１５Ａ  外管、１５Ｂ  内管、
１５Ｈ  回収用の穴部、１５ｈ  噴出用の穴部、１５ａ  移送部、１５ｂ  噴出部、
１６  回収タンク、１６Ｐ  回収ポンプ、１７  モニタリング装置、
１８  活性化制御手段、２１  供給パイプ、２２  回収パイプ、２３  注水パイプ、
２４  揚水パイプ、３１  注水井戸、３２  揚水井戸、４１  散水手段、４２  遮水層、
Ｋ  汚染領域、Ｔ  建物、Ｂ  化学兵器、Ｃ  二次汚染土壌、Ｒ  地下水、
Ｐ  汚染パイル、Ｙ  ストックヤード。
【図１】
2008062154.tif 000003
【図２】
2008062154.tif 000004
【図３】
2008062154.tif 000005
【図４】
2008062154.tif 000006
【図５】
2008062154.tif 000007
【図６】
2008062154.tif 000008
【図７】
2008062154.tif 000009
【図８】
2008062154.tif 000010
【図９】
2008062154.tif 000011